(57)【要約】要約課題  ユーザによる選局動作を必要とせず、ユーザに所望の放送番組を提示できる車載用選局装置を得ることを目的とする。解決手段  番組表情報を取得する番組情報取得部１，２と、取得した番組表情報から放送番組ごとの番組内容についての情報と放送時間についての情報を抽出し、放送番組ごとの番組内容情報と放送時間情報として出力する番組情報抽出部３と、ユーザの放送番組に対する嗜好傾向を嗜好情報として保持する嗜好情報保持部５と、嗜好情報と番組内容情報とにもとづき、放送番組ごとにユーザの嗜好に対する適合性を点数評価した適合性情報として出力する嗜好適合性評価部４と、放送時間情報と適合性情報にもとづき、当該時間帯に放送される番組のなかで最も適合性情報の高い放送番組を自動的に選局する自動選局部６，１と、を備えるようにした。選択図  図１
2009128121.tif 000002
【特許請求の範囲】
【請求項１】
番組表情報を取得する番組情報取得部と、
前記取得した番組表情報から放送番組ごとの番組内容についての情報と放送時間についての情報を抽出し、放送番組ごとの番組内容情報と放送時間情報として出力する番組情報抽出部と、
ユーザの放送番組に対する嗜好傾向を嗜好情報として保持する嗜好情報保持部と、
前記嗜好情報と前記番組内容情報とにもとづき、放送番組ごとに前記ユーザの嗜好に対する適合性を点数評価した適合性情報として出力する嗜好適合性評価部と、
前記放送時間情報と前記適合性情報にもとづき、当該時間帯に放送される番組のなかで最も適合性情報の高い放送番組を自動的に選局する自動選局部と、
を備えてなる車載用選局装置。
【請求項２】
コンテンツを保持するコンテンツ保持部と、
前記適合性情報が所定値以上の放送番組が存在しない空白時間には、前記コンテンツ保持部に保持されたコンテンツを選択して出力する出力信号制御部と、を備え、
前記自動選局部は、前記適合性情報が前記所定値以上の放送番組のうちから、最も適合性情報の高い放送番組を自動的に選局することを特徴とする請求項１に記載の車載用選局装置。
【請求項３】
前記出力信号制御部は、当該時間帯に前記適合性情報が所定値以上の放送番組が複数存在した場合、当該時間帯に前記自動選局部で選局された放送番組以外の放送番組であって、前記適合性情報が前記所定値以上の放送番組を録画番組として選定し、選定した録画番組のコンテンツを前記コンテンツ保持部に記録することを特徴とする請求項２に記載の車載用選局装置。
【請求項４】
前記コンテンツ保持部は、放送中の放送番組のコンテンツを記録しながら時間をずらして再生する時間ずらし再生機能を有し、
前記選択された空白時間用のコンテンツの再生時間が前記空白時間の長さを越える場合、前記空白時間直後に放送が開始される放送番組のコンテンツの再生時間帯を前記空白時間用のコンテンツの再生終了後にずらすように視聴スケジュールを編集する視聴編成部と、
前記視聴スケジュールにもとづき、前記コンテンツ保持部、前記自動選局部、および前記出力信号制御部を制御する視聴制御部と、
を備えたことを特徴とする請求項２または３に記載の車載用選局装置。
【請求項５】
前記出力信号制御部は、前記コンテンツ保持部に記録された放送番組のコンテンツが再生されると、当該再生された放送番組のコンテンツを前記コンテンツ保持部から削除することを特徴とする請求項２ないし４のいずれかに記載の車載用選局装置。
【請求項６】
手動選局動作により選局された放送番組が所定時間以上視聴されていることを検出すると、当該放送番組の番組情報を前記嗜好情報に反映させる嗜好情報分析部を有することを特徴とする請求項１ないし５のいずれかに記載の車載用選局装置。
【発明の詳細な説明】
【技術分野】
【０００１】
本発明は、ユーザの視聴傾向に基づいて放送番組を自動的に選択する車載用選局装置に関するものである。
【背景技術】
【０００２】
昨今、放送番組の番組数（局数）の増加が顕著であり、多数の番組の中から所望の番組を選択（選局）することが非常に煩雑なものとなっている。そこで、事前に視聴者の希望の局や見たくない局等を登録しておき、視聴者の希望をもとに番組数を絞って画面表示させることにより、簡単なキー操作で選局を容易にする番組自動選択システムが提案されている（例えば、特許文献１参照）。あるいは、視聴者の希望をもとに選択した番組について、番組の内容を示すキーワードとともに一覧表示するテレビジョン受像装置が提案されている（例えば、特許文献２参照）。【０００３】
【特許文献１】特開２００５−２１７５８８号公報（段落００１７〜００２３、図１、図２）
【特許文献２】特開２００４−３１２６２７号公報（段落００６１〜００７０、図１、図２）
【発明の開示】
【発明が解決しようとする課題】
【０００４】
しかしながら、上記のようにユーザの嗜好に適した番組を抽出しても、所望の番組を視聴するためにはユーザによる選局動作が依然必要であり、ユーザから選局動作を解放するまでにはいたっていない。とくに、こうした装置が車載用の場合、運転者にとって、運転中に運転以外の動作である選局動作が残ることは、煩わしいものであった。【０００５】
本発明は、上述のような問題を解消するためになされたもので、ユーザによる選局動作を必要とせず、ユーザに所望の放送番組を提示できる車載用選局装置を得ることを目的とする。
【課題を解決するための手段】
【０００６】
本発明における車載用選局装置は、番組表情報を取得する番組情報取得部と、前記取得した番組表情報から放送番組ごとの番組内容についての情報と放送時間についての情報を抽出し、放送番組ごとの番組内容情報と放送時間情報として出力する番組情報抽出部と、ユーザの放送番組に対する嗜好傾向を嗜好情報として保持する嗜好情報保持部と、前記嗜好情報と前記番組内容情報とにもとづき、放送番組ごとに前記ユーザの嗜好に対する適合性を点数評価した適合性情報として出力する嗜好適合性評価部と、前記放送時間情報と前記適合性情報にもとづき、当該時間帯に放送される番組のなかで最も適合性情報の高い放送番組を自動的に選局する自動選局部と、を備えたものである。
【発明の効果】
【０００７】
本発明によれば、当該時間帯に放送される番組のなかで最も適合性の高い放送番組を自動的に選局するように構成したので、ユーザによる選局動作を必要とせず、ユーザに所望の放送番組を提示できる車載用選局装置を得ることができる。とくに、運転者にとっては、運転と直接関係のない選局動作から解放され、快適に運転をすることができるようになる。
【図面の簡単な説明】
【０００８】
【図１】本発明の実施の形態１にかかる車載用選局装置の構成を示すブロック図である。
【図２】本発明の実施の形態１にかかる車載用選局装置の動作を示すフローチャートである。
【図３】本発明の実施の形態２にかかる車載用選局装置の構成を示すブロック図である。
【図４】本発明の実施の形態２にかかる車載用選局装置の動作を示すフローチャートである。
【図５】本発明の実施の形態３にかかる車載用選局装置の構成を示すブロック図である。
【図６】本発明の実施の形態３にかかる車載用選局装置の動作を説明するための放送番組の視聴スケジュールを示す図である。
【図７】本発明の実施の形態３にかかる車載用選局装置の動作を示すフローチャートである。
【符号の説明】
【０００９】
１  チューナ部（番組情報取得部、自動選局部）、  ２  デコード部（番組情報取得部）、  ３  番組情報抽出部、  ４  嗜好適合性評価部、  ５  嗜好情報保持部、  ６，２６，３６  自動選局部（自動選局部）、  ７  嗜好情報分析部、  ８，２８，３８  映像・音声信号制御部（出力信号制御部）、  ９  リモコン受信部、  １０，２０，３０  車載用選局装置、  １１０  アンテナ地図データファイル、  １２０  表示機、  １３０  リモコン、  ２４０、３４０  コンテンツ保持部、  ３４１  コンテンツ記録再生部、  ３４２  コンテンツ再生装置、  ３４３  音声再生装置、  ３５１  視聴制御部（視聴調整部）、  ３５２  視聴編成部（視聴調整部）。
【発明を実施するための最良の形態】
【００１０】
実施の形態１．
図１は本実施の形態１にかかる車載用選局装置の構成図である。図において、車載用選局装置１０は、放送信号を受信するアンテナ１１０から出力される放送信号を復調し入力信号を出力するチューナ部１と、チューナ部１からの入力信号を復号処理し、番組情報と映像・音声データに分離して出力するデコード部２と、デコード部２から出力された番組表情報から放送番組ごとの番組内容情報と放送時間情報を抽出する番組情報抽出部３と、ユーザによる選局動作を検出して、ユーザの放送番組に対する嗜好傾向を分析し、嗜好情報として出力する嗜好情報分析部７と、嗜好情報分析部７が分析したユーザの放送番組に対する嗜好傾向を嗜好情報として保持する嗜好情報保持部５と、嗜好情報保持部５が保持している嗜好情報と番組情報抽出部３が抽出した番組内容情報とにもとづき、放送番組ごとにユーザの嗜好に対する適合性を点数評価した適合性情報として出力する嗜好適合性評価部４と、番組情報抽出部３が抽出した放送時間情報と嗜好適合性評価部４が出力する適合性情報にもとづき、当該時間帯に放送される番組のなかで最も適合性情報の高い放送番組を自動的に選局する自動選局部６と、を備えている。さらに車載用選局装置１０は、デコード部２から出力された映像・音声のデータ信号を表示機１２０に出力する映像・音声信号制御部８と、リモコン１３０からのリモコン制御信号を受信するリモコン受信部９とを備えている。以下、詳細を説明する。【００１１】
チューナ部１は、アンテナ１１０が受信した放送信号を放送方式に準じて復調し、入力信号として出力する装置である。放送番組の信号については、自動選局部６から出力される選局信号またはリモコン１３０の操作によりリモコン受信部９から出力されるリモコン選局信号により指定された放送局からの番組の放送信号を選択的に抽出して復調する。また、選局とは別に、所定時間ごとに送信されてくる複数の放送番組の番組情報（番組名、放送チャンネル、番組内容、ジャンル、放送日、放送開始時間、放送時間等）を有する番組表情報（電子番組表）の放送信号も復調して入力信号として出力する。また、後述するユーザの手動選局を検出すると、手動選局であることを示す信号を嗜好情報分析部７に出力する。【００１２】
デコード部２は、チューナ部１が出力した入力信号を復号化し、選局したチャンネルの映像データ、および音声データ、さらに所定時間ごとに送信されてくる複数の放送局からの番組情報（以下番組表情報と称する）を分離する。そして、番組表情報を番組情報抽出部３に出力し、映像データと音声データを映像・音声信号制御部８に出力する。つまり、チューナ部１とデコード部２は番組表情報を取得する番組情報取得部として機能する。【００１３】
番組情報抽出部３は、デコード部２から出力された番組表情報から放送番組ごとの番組内容情報と放送時間情報を抽出して嗜好適合性評価部４に出力する。また、ユーザの手動操作によって選局された番組の番組情報（以下手動選局番組情報と称する）を嗜好情報分析部７に出力する。【００１４】
嗜好情報分析部７は、ユーザによる手動選局動作を検出し、その動作によって選局された番組の視聴時間が所定時間を越えると、その番組の手動選局番組情報のうち、番組のジャンルや番組内容を示すキーワードを抽出してユーザの嗜好情報として抽出し、嗜好情報保持部５に記録する。例えばユーザがリモコン１３０を用いて、２８ＣＨを選択したとすると、リモコン受信部９から２８ＣＨを選局するためのリモコン選局信号がチューナ部１に出力される。同じＣＨを選択する信号であっても、リモコン選局信号と自動選局部６からの選局信号とを区別するようにしていれば、チューナ部１は、ユーザによる手動選局動作があったことを検出できる。チューナ部１は、手動選局が行われていることを示す信号を嗜好情報分析部７に出力するので、嗜好情報分析部７は、その手動選局番組が所定時間以上視聴されているときは、その番組がユーザの嗜好に一致するものであるとして、その番組の番組内容情報から嗜好情報を抽出し、嗜好情報保持部５に記録する。嗜好情報としては、番組内容情報から番組のジャンル（種類）の情報や番組内容からキーワードを抽出したりして得ることができ、例えば特許文献２に記載されているような公知技術を用いて過去の視聴回数（抽出頻度）によりキーワードやジャンルごとに優先度をつけて嗜好情報とすることができる。【００１５】
なお、嗜好情報分析部７は、リモコン１３０からの指令や車載用選局装置１０本体に設置したスイッチ等により、上記嗜好情報の分析動作を中止させることができ、その間に行われた操作を嗜好情報に反映させないようにすることができる。さらに、手動選局動作や自動選局時のユーザを識別設定するようにし、ユーザごとに嗜好情報を分析し、ユーザごとに異なる嗜好情報を出力するようにしてもよい。つまり、ユーザによって異なる嗜好情報に基づく自動選局をするようにしてもよい。また、本実施の形態１では、ユーザによる手動選局動作から嗜好情報を分析するようにしたが、予めジャンルやアーティスト名等を選局とは別に入力させ、入力された情報を嗜好情報として出力するようにしてもよい。【００１６】
嗜好情報保持部５は、嗜好情報分析部７から出力された嗜好情報を保持し、嗜好適合性評価部４の制御により、保持する嗜好情報を嗜好適合性評価部４に出力する装置で、不揮発性のメモリで構成されている。そして、嗜好情報保持部５に保持された情報は嗜好情報分析部７の制御により読出し・書込み制御され、また、嗜好適合性評価部４の制御により読出し制御される。【００１７】
嗜好適合性評価部４は、嗜好情報保持部５に保持されている嗜好情報と、番組情報抽出部３によって番組表情報から抽出された放送番組ごとの番組内容情報とにもとづき、放送番組ごとにユーザの嗜好に対する適合性を点数評価した適合性情報として出力するものである。適合性情報としては、放送番組ごとの番組内容情報から抽出したジャンルについての情報と嗜好情報に保持されたジャンル情報と一致しているか否か、放送番組ごとの番組内容から抽出したキーワードと嗜好情報に保持されたキーワードとの一致数等をもとに一致数が多ければ高い点数を付与するようにする。また、例えばこの適合性情報は、特開平１０−２５７４０５号公報の式（４）に示される推薦度と同様の方法で付与してもよい。そして、嗜好適合性評価部４は、放送番組ごとに放送時間情報と適合性情報をリンクさせ、自動選局部６に出力する。【００１８】
自動選局部６は、嗜好適合性評価部４からの、放送番組ごとの放送時間情報と適合性情報にもとづき、当該時間帯に放送される放送番組の中で最も適合性情報の点数が高い放送番組が選択されるように放送番組の選局リストを作成し、作成した選局リストをもとに、当該時間中に放送される番組のなかで最も適合性情報の高い放送番組を選局するように選局指令をチューナ部１に出力する。つまり、チューナ部１と自動選局部６は、放送時間情報と適合性情報にもとづき、当該時間帯に放送される番組のなかで最も適合性情報の高い放送番組を自動的に選局する自動選局部として機能する。なお、自動選局部６は、リモコン１３０からの指令や車載用選局装置１０本体に設置したスイッチ等により、自動選局を行うことを解除させることができる。【００１９】
映像・音声信号制御部８は、デコード部２から出力された映像・音声のデータ信号を表示機１２０に出力する機能を有している。そして、自動選局部６とチューナ１によって自動的に選局された当該時間帯においてユーザの嗜好に最も適合した放送番組の映像・音声を途切れることなく表示機１２０から表示されるようにデータ出力を制御する。【００２０】
リモコン受信部９は、リモコン１３０からのリモコン制御信号を受信し、車載用選局装置１０の各種動作を制御するコマンドを車載用選局装置１０内の各部に出力する。本実施の形態１においては選局動作に関する構成としてチューナ部１への出力系統のみを示している。そして、リモコン１３０から選局に関するリモコン制御信号を受信すると、自動選局部６からの選局信号と区別可能なリモコン選局信号を生成しチューナ部１に出力する。【００２１】
表示機１２０は、映像を表示する表示部及び音声を出力するスピーカ（ともに図示せず）等を備え、車載用選局装置１０の映像・音声信号制御部８から映像及び音声のデータ信号を受信し、前記表示部及び音声から映像と音声を出力する装置である。車載用選局装置１０と一体となって設けられている。【００２２】
リモコン装置１３０は、図示しないが表面に各種ボタンが設けられており、ユーザによってボタンが押されると、各ボタンに割り当てられたリモコンコマンドをエンコードして、図示しない先端の発光部から赤外線によるＰＰＭ(Pulse Position Modulation)信号として出力する。このＰＰＭ信号をリモコン受信部９が受信してリモコンコマンドにデコードしてチューナ部１に出力することにより、手動選局動作ができる。また、その他の動作も遠隔制御することができる。【００２３】
つぎに、動作について説明する。
はじめに、選局した放送番組を表示する動作について図１を用いて説明する。
アンテナ１１０が放送信号を受信すると、受信された放送信号は、電気信号として車載用選局装置１０のチューナ部１に入力される。受信された信号にはアンテナ１１０で受信可能な多数のチャンネルの信号を含め、アンテナ１１０の特性として受信可能な周波数帯の信号が含まれているが、チューナ部１は、それら全てをデータ化したのち、その時点で選局されているチャンネルに対応する受信データのみを選択し、デコード部２に出力する。デコード部２は、チューナ部１で選定され、出力された受信データを映像や音声のデータに変換し、映像・音声信号制御部８に出力する。変換後の音声データや映像データは映像・音声信号制御部８で処理され、出力用のデータとして表示機１２０に出力され、表示機１２０からは、映像や音声が出力される。これにより、ユーザは選局されているチャンネルの放送番組を視聴することができる。また、チューナ部１は、アンテナ１１０が番組表情報を含む放送信号を受信した場合は、その時点の選局状態に関係なく、番組表情報に関するデータをデコード部２に出力する。【００２４】
つづいて、本実施の形態１にかかる車載用選局装置１０の特徴となる選局についての処理動作を図２に示すフローチャートを用いて説明する。なお、本実施の形態１においては、既に行われた手動選局動作を嗜好情報分析部７が分析することにより、嗜好情報が嗜好情報保持部５に保持されているものとして説明する。【００２５】
アンテナ１１０が番組表情報を含む放送信号を受信すると、チューナ部１は、それら全てをデータ化してデコード部２に出力する。つまり、チューナ部１とデコード部２からなる番組情報取得部が番組表情報を取得する（ステップＳ１０）。取得した番組表情報は番組情報抽出部３に出力され、番組情報抽出部３は、番組表情報から放送番組ごとの番組内容情報と放送時間情報を抽出する。つまり、放送番組ごとの番組情報を抽出する（ステップＳ２０）。嗜好適合性評価部４は、嗜好情報保持部５から嗜好情報を読み出し（ステップＳ３０）、読み出した嗜好情報と番組情報抽出部３から出力された番組内容情報とにもとづき、番組表情報に記載されている複数の放送番組について、放送番組ごとにユーザの嗜好に対する適合性を点数評価する（ステップＳ４０）。そして放送番組ごとに評価した点数を放送番組ごとの適合性情報として出力する。【００２６】
なお、本実施の形態１において、番組表データ取得ステップＳ１０では、車載用選局装置が起動するたびに、放送信号から受信して番組表データを取得するとしている。しかし、車載用選局装置１０が以前に取得した番組表情報が図示しない記憶部に保持されており、保持された番組表情報が当該動作中の時間帯をカバーするのであれば、保持されているデータを読み出すようにしてもよい。【００２７】
つぎに、自動選局部６は、嗜好適合性評価部４からの放送番組ごとの放送時間情報と適合性情報にもとづき、現時間帯に放送される放送番組の中で最も適合性情報の点数が高い放送番組を最適番組として決定する（ステップＳ５０）。そして、自動選局部６は、決定した放送番組を選局するようチューナ部１に選局指令を出す。この選局指令にもとづき、チューナ部１は自動的に選局する（ステップＳ６０）。スイッチを切るなど、車載用選局装置１０の動作を停止（ステップＳ７０で「ＹＥＳ」）させない限り、ステップＳ５０に移行（ステップＳ７０で「ＮＯ」）し、その時点で最も適合性情報の点数が高い放送番組を選局していく。【００２８】
この動作により、車載用選局装置１０からは、同時に放送される放送番組の中で、最もユーザの嗜好に適した放送番組が自動的に選局されて提示される。つまり、車載用選局装置１０は、ユーザが選局操作をしなくとも、ユーザが最も好む番組が自動的に選局されるので、例えば、音楽好きのユーザの嗜好情報が保持されている場合には、あたかも音楽専門チャンネルを視聴しているように動作することになる。【００２９】
以上のように、本発明の実施の形態１にかかる車載用選局装置１０によれば、番組表情報を取得する番組情報取得部１，２と、取得した番組表情報から放送番組ごとの番組内容についての情報と放送時間についての情報を抽出し、放送番組ごとの番組内容情報と放送時間情報として出力する番組情報抽出部３と、ユーザの放送番組に対する嗜好傾向を嗜好情報として保持する嗜好情報保持部５と、嗜好情報と番組内容情報とにもとづき、放送番組ごとにユーザの嗜好に対する適合性を点数評価した適合性情報として出力する嗜好適合性評価部４と、放送時間情報と適合性情報にもとづき、当該時間帯に放送される番組のなかで最も適合性情報の高い放送番組を自動的に選局する自動選局部６，１と、を備えるようにしたので、ユーザによる選局動作を必要とせず、ユーザに所望の放送番組を提示することができる。とくに、運転者にとっては、運転と直接関係のない選局動作から解放され、運転に集中して快適に運転をすることができるようになる。【００３０】
また、本発明の実施の形態１にかかる車載用選局装置１０によれば、チューナ部１は、リモコン１３０操作によるユーザの手動選局指令をリモコン受信部９から受けると、手動による選局動作を受け付け、嗜好情報分析部７は、手動選局動作により選局された放送番組が所定時間以上視聴されていることを検出すると、当該放送番組の番組情報を嗜好情報に反映させるように構成したので、ユーザ自身の選局動作から自動的にユーザの嗜好情報を分析することができる。【００３１】
なお、本実施の形態１によれば、選局中の放送番組の終了をまたずに、当該時間中に最も適合性情報が高い放送番組の放送時間になると、次の放送番組に自動的に選局するようになる。しかし、選局中の放送番組の適合性情報と、選局中の放送番組の放送時間内に放送が始まる次の放送番組の適合性情報との値の差が所定値未満の場合は、選局中の放送番組が終了するのを待って、次の局を選局するようにしてもよい。その場合、適合性情報の差が小さい番組の場合は放送番組が途中で切り替わることがなく、違和感なく視聴することができる。あるいは、ステップＳ７０において、選局中の放送番組の放送時間が終わってからステップＳ５０に移行するようにしてもよい。この場合、自動選局した番組は放送終了まで表示されることになる。【００３２】
実施の形態２．
図３に本発明の実施の形態２にかかる車載用選局装置の構成図を示す。本実施の形態２における車載用選局装置２０は、実施の形態１における車載用選局装置１０と比較して、コンテンツを記録するコンテンツ保持部２４０を更に備えたものである。コンテンツ保持部２４０は、ハードディスク装置で構成されている。しかし、コンテンツを読み込むことができるのであれば、例えばＣＤ（Compact Disc）、ＤＶＤ（Digital Versatile Disc）、ＭＤ（Mini Disc）等を用いてもよい。また、本実施の形態２においては、コンテンツ保持部２４０は、読み込みだけでなく、書込みも可能なものとした。【００３３】
このコンテンツ保持部２４０は、自動選局部２６と映像音声信号制御部２８と接続されている。そして、コンテンツ保持部２４０と接続された自動選局部２６は、適合性情報が所定値未満の放送番組は選局しないこととし、映像・音声信号制御部２８は、適合性情報が所定値以上の放送番組が存在しない空白時間には、コンテンツ保持部２４０に保持されたコンテンツを選択して再生するようにした。つまり、映像・音声信号制御部２８は、単にチューナ部１で選局された放送番組の映像・音声信号を表示機１２０に出力するのではなく、チューナ部１から放送番組のデータが出力されない場合には、コンテンツ保持部２４０が保持しているコンテンツの映像・音声信号を表示機１２０に出力する出力信号制御部として機能する。また、出力信号制御部である映像・音声信号制御部２８は、同じ時間帯に適合性情報が所定値以上の放送番組が複数存在した場合、当該時間帯に自動選局部２６で選局された放送番組以外の放送番組であって、適合性情報が所定値より高い放送番組を録画番組として選定し、その際、コンテンツ保持部２４０は、選定された録画番組の記録装置として機能する。【００３４】
つぎに、図４のフローチャートを用いて動作を説明する。なお、車載用選局装置２０の起動前の嗜好情報保持についての状態、およびステップＳ１０〜ステップＳ４０については、実施の形態１と同様であるので、説明を省略する。
自動選局部２６は、嗜好適合性評価部４からの放送番組ごとの放送時間情報と適合性情報にもとづき、各放送時間帯において、ユーザの嗜好傾向に適した適合性情報が所定値以上の番組があるか否かを判定する（ステップＳ１５０）。【００３５】
適合性情報の値が所定値以上の放送番組がある場合（Ｓ１５０で「ＹＥＳ」）は、現在時刻に放送される放送番組の中で最も適合性情報の点数が高い放送番組を最適番組として決定（ステップＳ５０）し、自動選局部２６は決定した放送番組を選局するようチューナ部１に選局指令を出す。この選局指令にもとづき、チューナ部１は最適番組を自動的に選局する（ステップＳ６０）。【００３６】
つぎに、自動選局部２６は、適合性情報の値が所定値以上の放送番組が複数ある、つまり同じ時間帯にユーザ嗜好に適した放送番組が重なっているか否かを判定する（ステップＳ１５２）。適合性情報の値が所定値以上の放送番組がひとつしかない場合（Ｓ１５２で「ＮＯ」）、ステップＳ７０に移行する。スイッチを切るなど、車載用選局装置１０の動作を停止（ステップＳ７０で「ＹＥＳ」）させない限り、ステップＳ１５０に移行（ステップＳ７０で「ＮＯ」）し、次に提示する放送番組または再生するコンテンツを順次再選定していく。【００３７】
一方、適合性情報の値が所定値以上の放送番組が複数ある場合（Ｓ１５２で「ＹＥＳ」）、現在時刻に放送される放送番組の中で２番目に適合性情報の点数が高い放送番組（第２候補）を録画番組として決定（ステップＳ１５４）し、自動選局部２６は、決定した録画番組を自動選局した放送局と並行して別途選局するようチューナ部１に録画用選局指令を出す。この録画用選局指令にもとづき、チューナ部１は自動選局番組と録画番組を同時に選局し、デコード部２には、自動選局番組と録画番組との２つの番組の放送信号が出力される。デコード部２は、２つの番組の放送信号からデコードした映像と音声の信号をそれぞれ映像・音声信号制御部２８に出力し、映像・音声信号制御部２８は、入力された映像と音声の信号のうち、自動選局番組の映像と音声の信号は表示機１２０に出力し、録画番組の映像と音声の信号はコンテンツ保持部２４０に出力する。これにより、当該時間帯に自動選局部２６で選局された放送番組以外の放送番組であって、適合性情報が所定値より高い放送番組（録画番組）のコンテンツがコンテンツ保持部２４０に記録され（ステップＳ１６０）、ステップＳ７０に移行する。【００３８】
一方、ステップＳ１５０において、適合性情報が所定値以上の放送番組がない場合（「ＮＯ」）は、自動選局部２６は選局を行わず、選局を行わない旨の信号（無選局信号）を映像・音声信号制御部２８に出力する。無選局信号を受けた映像・音声信号制御部２８は、コンテンツ保持部２４０に記録されたコンテンツを再生するよう再生指令信号を出力する。コンテンツ保持部２４０は、再生指令信号を受けると記録されたコンテンツの再生信号を映像・音声信号制御部２８に出力し、映像・音声信号制御部２８は、コンテンツ保持部２４０から出力されたコンテンツの再生信号である映像と音声のデータ信号を表示機１２０に出力する。これにより、適合性情報の値が所定値以上の放送番組が存在しない空白時間にはコンテンツ保持部２４０に記録されたコンテンツが再生され（ステップＳ２６０）、ステップＳ７０に移行する。なお、コンテンツ保持部２４０に保持されるコンテンツは、ステップＳ１６０において記録された放送番組のコンテンツの他、市販ソフト等から入手したコンテンツを用いてもよく、その場合、コンテンツ保持部は物理的に別個の記録媒体であってもよい。また、本実施の形態２においては、録画番組をひとつだけ選局する場合について説明したが、チューナ部１、デコード部２、映像・音声信号制御部の回路系統数を増加させて、複数の放送番組を同時に録画できるようにしてもよい。【００３９】
また、コンテンツ保持部２４０に記録されたコンテンツについては、ステップＳ２６０で再生された場合、図示しないフローにより、コンテンツ保持部２４０から削除するようにしてもよい。とくにステップＳ１６０において記録された放送番組については、もともと自動選局される番組よりも適合性の低い番組であるため、記録したコンテンツの整理のうえでもコンテンツ保持部２４０からの削除は有効である。また、ステップＳ１６０で記録する放送番組の適合性情報の下限値をステップＳ１５０における下限値（所定値）よりも高く設定するようにしてもよい。【００４０】
なお、ステップＳ２６０で再生するコンテンツは、適合性情報が所定値より高い番組の放送が始まると、そのコンテンツの再生途中でその番組が自動選局されることにより、中断する場合がある。したがって、コンテンツの初めから終わりまで一通り視聴したい場合には、中断した部分から次の空白時間のときに再生するようにしてもよい。とくに、放送番組の録画番組については、中断の可能性のあるステップＳ２６０においては再生の対象とせず、別途手動で再生するように設定してもよい。【００４１】
以上のように、本発明の実施の形態２にかかる車載用選局装置２０によれば、コンテンツを保持するコンテンツ保持部２４０と、適合性情報が所定値以上の放送番組が存在しない空白時間には、コンテンツ保持部２４０に保持されたコンテンツを選択して出力する出力信号制御部である映像・音声信号制御部２８と、を備え、自動選局部２６は、適合性情報が所定値以上の放送番組のうちから、最も適合性情報の高い放送番組を自動的に選局するように構成したので、ユーザによる選局動作を必要とせず、ユーザの嗜好への合致度が高い放送番組のみを提示することができる。さらに、ユーザ嗜好への合致度が高い放送番組がない、いわゆる空白時間帯においても、ユーザの嗜好のコンテンツを提示することができる。つまり、選局動作をしなくとも、ユーザの好みの番組やコンテンツをすることなく途切れなく提示することができ、とくに運転車にとっては運転に集中することができ、快適に運転ができる。【００４２】
とくに、出力信号制御部である映像・音声信号制御部２８は、当該時間帯に適合性情報が所定値以上の放送番組が複数存在した場合、当該時間帯に自動選局部２６で選局された放送番組以外の放送番組であって、適合性情報が所定値以上の放送番組（録画番組）のコンテンツをコンテンツ保持部２４０に記録するように構成したので、ユーザ嗜好に適しているにも関わらず、視聴できなかった放送番組についても視聴することが可能となる。【００４３】
また、出力信号制御部である映像・音声信号制御部２８は、コンテンツ保持部２４０に記録された放送番組のコンテンツが再生されると、当該再生された放送番組のコンテンツをコンテンツ保持部２４０から削除するように構成したので、同じ放送番組を繰り返し再生することがなくなる。【００４４】
実施の形態３．
図５に本発明の実施の形態３にかかる車載用選局装置の構成図を示す。本実施の形態３における車載用選局装置３０では、コンテンツ保持部３４０がコンテンツ記録再生装置３４２と音声再生装置３４３と時間ずらし再生可能なコンテンツ記録再生部３４１という複数の記録装置から構成されている。とくに、実施の形態２における車載用選局装置２０と比較して、放送番組や各種コンテンツの視聴スケジュールを編集する視聴編成部３５２と、視聴編成部が編成した視聴スケジュールに従って選局した放送番組または複数の記録装置に保持されたコンテンツのデータ信号を出力するようコンテンツ保持部３４０、自動選局部３６、および出力信号制御部である映像・音声信号制御部３８を制御する視聴制御部３５１とを有する視聴調整部３５０を備えている。【００４５】
コンテンツ記録再生装置３４２は、映像と音声からなるコンテンツを再生する装置であり、視聴調整部３５０の視聴制御部３５１の制御により、映像・音声信号制御部３８へ保持しているコンテンツの映像と音声信号を出力するとともに、視聴編成部３５２の制御により、保持しているコンテンツの情報（コンテンツ名、コンテンツ内容、再生時間等）を視聴編成部３５２へ出力する。【００４６】
音声再生装置３４３は、音声からなるコンテンツを再生する装置であり、視聴調整部３５０の視聴制御部３５１の制御により、映像・音声信号制御部３８へ保持しているコンテンツの音声信号を出力するとともに、保持しているコンテンツの情報（コンテンツ名、コンテンツ内容、再生時間等）を視聴編成部３５２へ出力する。【００４７】
コンテンツ記録再生部３４１は、実施の形態２におけるコンテンツ保持部２４０と同様にコンテンツの記録や再生を行うことができる装置であり、とくに、放送番組を記録しながら時間をずらして再生する時間ずらし再生機能を有している。そして、視聴調整部３５０の視聴制御部３５１の制御により、映像・音声信号制御部３８から出力される放送番組のコンテンツの映像や音声信号の記録や、保持している放送番組のコンテンツの映像・音声信号制御部３８への映像や音声信号の出力を行うとともに、保持している放送番組のコンテンツの番組内容情報と放送時間情報を視聴編成部３５２へ出力する。【００４８】
視聴編成部３５２は、現在時刻から所定時間（例えば１２時間）の時間帯に対して適合性情報が所定値以上の放送番組およびコンテンツ保持部３４０内に保持されたコンテンツを用いて視聴スケジュールを編成する。とくに、適合性情報が所定値以上の放送番組がない空白時間が生じたときに、空白時間を埋めるために選択されたコンテンツ（空白時間用コンテンツ）の再生時間が空白時間の長さを越える場合、空白時間直後に放送が開始される放送番組のコンテンツの視聴時間帯を空白時間用コンテンツの後にずらし、選択したコンテンツが最初から最後まで再生されるように視聴スケジュールを再編集する機能を有している。【００４９】
視聴制御部３５１は、ユーザの嗜好に適したコンテンツを、視聴スケジュールをもとに自動選局部３６やコンテンツ保持部３４０の各記録装置３４１〜３４３、および映像・音声信号制御部３８の動作を制御する。とくに、空白時間直後に放送が開始される放送番組のコンテンツは、コンテンツ記録再生部３４１の時間ずらし再生機能を用いて、空白時間用のコンテンツの再生が終了した後に、当該放送番組の最初から提示できるようにする。つまり、視聴スケジュールにもとづき、ユーザの嗜好に適したユーザの嗜好に適したコンテンツの提示が途切れることのないようにコンテンツ保持部２４０、自動選局部３６、および出力信号制御部３８を制御する。【００５０】
つぎに、動作について説明する。
図６は、適合性情報が所定値以上の番組が存在しない空白時間が生じたときの視聴スケジュールの編集方法を示す図であり、図において、「ＣＨ１３  番組Ａ」（以下番組Ａと称する）と「ＣＨ１６  番組Ｂ」（以下番組Ｂと称する）とが適合性情報が所定値以上の放送番組であり、「録画コンテンツ」が番組Ａと番組Ｂの間に生じた空白時間を埋めるために選択されたコンテンツ再生装置３４２に保持されたコンテンツ（以下空白時間用コンテンツと称する）である。【００５１】
図７のフローチャートを用いて動作を説明する。なお、車載用選局装置３０の起動前における放送番組の嗜好情報保持についての状態、およびステップＳ１０〜ステップＳ４０については、実施の形態１や２と同様であるので、説明を省略する。
視聴編成部３５２は、嗜好適合性評価部４からの放送番組ごとの放送時間情報と適合性情報にもとづき、現在時刻から１２時間までの放送時間帯において、ユーザの嗜好傾向に適した適合性情報が所定値以上の番組を抽出して視聴スケジュールを編成する（ステップＳ３５０）。そして、作成した視聴スケジュールの中にユーザの嗜好傾向に適した適合性情報が所定値以上の番組が存在しない空白時間が存在するか否かを判定する（ステップＳ３５２）。【００５２】
ここで、空白時間が存在しない（ステップＳ３５２で「ＮＯ」）場合、ステップＳ３６０に移行し、視聴編成部３５２から視聴スケジュールを受け取った視聴制御部３５１は、自動選局部３６および映像・音声信号制御部３８を制御して、視聴スケジュールに沿って選局した放送番組を順次提示していく（ステップＳ３６０、ステップＳ７０）。【００５３】
一方、図６（ａ）に示すように、番組Ａの終了時刻と番組Ｂの開示時刻との間（１９：３０〜２０：００）に空白時間が存在する（ステップＳ３５２で「ＹＥＳ」）場合、視聴編成部３５２は、コンテンツ保持部３４０の各記録装置３４１〜３４２に保持しているコンテンツの情報（コンテンツ名、コンテンツ内容、再生時間等）を出力させ、コンテンツ保持部３４０に保持されているコンテンツの情報を取得する（ステップＳ４１０）。そして、番組Ａと番組Ｂとの空白時間の３０分を埋めることができる（合計再生時間が空白時間以上）ユーザの嗜好に適したコンテンツを検索する（ステップＳ４２０）。【００５４】
ここで、検索した空白時間用コンテンツの再生時間が図６（ｂ）に示すように空白時間と同じである場合（ステップＳ４３０で「ＹＥＳ」）、視聴編成部３５１は、空白時間内のスケジュールのみを検索した空白時間用コンテンツで編成（ステップＳ４４０）する。このとき、空白用コンテンツはひとつである必要はなく、複数のコンテンツで３０分以上となればよく、また、異なる記録部３４１〜３４２に保持されているものを選定してもよい。視聴編成部３５２は、編成した視聴スケジュールを視聴制御部３５１に出力する。【００５５】
視聴制御部３５１は、視聴スケジュールにもとづいて、１９：００〜１９：３０分の間は番組Ａを選局するよう自動選局部３６を制御し、映像・音声信号制御部３８にデコード部２から出力された番組Ａの映像と音声のデータを表示機１２０に出力するよう制御する。そして、１９：３０〜２０：００分の間は選択した空白用コンテンツの再生信号を出力するようにコンテンツ保持部３４０を制御し、映像・音声信号制御部３８にコンテンツ保持部３４０（３４２）から出力された空白用コンテンツの映像と音声のデータを表示機１２０に出力するよう制御する。そして、２０：００になると番組Ｂを選局するよう自動選局部３６を制御し、デコード部２から出力された番組Ｂの映像と音声のデータを表示機１２０に出力するよう映像・音声信号制御部３８を制御（ステップＳ３６０）する。そして、途中で停止指令がない限り、スケジュール通りに制御（Ｓ７０）していく。つまり、番組Ａ、空白時間用コンテンツ、番組Ｂが途中で中断することなく途切れずにユーザに提示される。【００５６】
一方、検索した空白時間用コンテンツの再生時間が図６（ｃ）に示すように空白時間よりも長い場合（ステップＳ４３０で「ＮＯ」）、視聴編成部３５１は、時間ずらし再生を採り入れて視聴スケジュールを再編成（ステップＳ４５０）する。例えば、図６（ｃ）における空白時間用コンテンツの合計再生時間が４０分であったとき、視聴編成部３５２は、１９：００〜１９：３０は番組Ａを選択、１９：３０〜２０：１０は空白用コンテンツを選択、そして、２０：１０から番組Ｂの時間ずらし再生を選択する。例えば、番組Ｂの放送時間が２０：００〜２０：３０分であったとすると、番組Ｂを受信しながらその再生を２０：１０から２０：４０の間に１０分シフトするようにずらす。そして、以降の時間帯についても１０分のシフトを反映させて再スケジューリングしていく。そして再スケジューリングした視聴スケジュールを視聴制御部３５１に出力する。【００５７】
視聴制御部３５１は、視聴スケジュールにもとづいて、１９：００〜１９：３０分の間は番組Ａを選局するよう自動選局部３６を制御し、映像・音声信号制御部３８にデコード部２から出力された番組Ａの映像と音声のデータを表示機１２０に出力するよう制御する。そして、１９：３０〜２０：１０分の間は選択した空白用コンテンツの再生信号を出力するようにコンテンツ保持部３４０を制御し、コンテンツ保持部３４０から出力された空白用コンテンツの映像と音声のデータを表示機１２０に出力するよう映像・音声信号制御部３８を制御する。また２０：００になると番組Ｂを選局するよう自動選局部３６を制御し、デコード部２から出力された番組Ｂの映像と音声のデータをコンテンツ記録再生部３４１に出力するよう映像・音声信号制御部３８を制御する。そして、２０：１０になると、番組Ｂの選局と、デコード部２から出力された番組Ｂの映像と音声のデータのコンテンツ記録再生部３４１への出力を行いながら、２０：００から記録を開始した番組Ｂを番組の最初から再生するようコンテンツ記録再生部３４１を制御し、再生した番組Ｂの映像と音声を表示機１２０に出力するように映像・音声信号制御部３８を制御（ステップＳ３６０）する。以降、途中で停止指令がない限り、スケジュール通りに制御（Ｓ７０）していく。つまり、空白時間と長さがぴったりのコンテンツを保持していなくても、番組Ａ、空白時間用コンテンツ、番組Ｂが途中で中断することなく途切れずにユーザに提示される。【００５８】
これにより、ユーザから選局動作を解放しているにもかかわらず、ユーザの嗜好に適した放送番組またはコンテンツを中断することなく、途切れずに順次提示することができる。【００５９】
以上のように、本発明の実施の形態３にかかる車載用選局装置３０によれば、コンテンツ保持部３４０は、放送中の放送番組のコンテンツを記録しながら時間をずらして再生する時間ずらし再生機能を有し、選択された空白時間用のコンテンツの再生時間が空白時間の長さを越える場合、空白時間直後に放送が開始される放送番組のコンテンツの再生時間帯を前記空白時間用のコンテンツの再生終了後にずらすように視聴スケジュールを編集する視聴編成部３５２と、視聴スケジュールにもとづき、ユーザの嗜好に適したコンテンツの提示が途切れることのないようにコンテンツ保持部３４０、自動選局部３６、および出力信号制御部３８を制御する視聴制御部３５１と、を備えるように構成したので、ユーザによる選局動作を必要とせず、ユーザの嗜好への合致度が高い放送番組を中断したりすることなく、途切れずに順次提示することができる。つまり、選局動作を必要とせず、ユーザの好みの放送番組やコンテンツを中断することなく途切れずに順次提示することができる専用チャンネルのように動作させることができ、とくに運転者にとっては運転に集中することができ、快適に運転ができる。【００６０】
なお、本実施の形態３においても、実施の形態２のように、同じ時間帯に嗜好適合性の高い番組が重なった場合、一方の放送番組をコンテンツ記録再生部３４１に記録させ、記録した放送番組の放送が終わった後に再生するようにしてもよいのはいうまでもない。【００６１】
なお、上記各実施の形態１〜３にかかる車載用選局装置においては、自動選局のＯＮ／ＯＦＦ設定を設けることで、ＯＮ設定の場合にはユーザ嗜好に適した放送番組の自動選局を実行するが、ＯＦＦ設定の場合には自動選局を行わないとしてもよい。
【図１】
2009128121.tif 000003
【図２】
2009128121.tif 000004
【図３】
2009128121.tif 000005
【図４】
2009128121.tif 000006
【図５】
2009128121.tif 000007
【図６】
2009128121.tif 000008
【図７】
2009128121.tif 000009
【手続補正書】
【提出日】平成22年6月14日(2010.6.14)
【手続補正１】
【補正対象書類名】明細書
【補正対象項目名】全文
【補正方法】変更
【補正の内容】
【発明の詳細な説明】
【技術分野】
【０００１】
本発明は、ユーザの視聴傾向に基づいて放送番組を自動的に選択する車載用選局装置に関するものである。
【背景技術】
【０００２】
昨今、放送番組の番組数（局数）の増加が顕著であり、多数の番組の中から所望の番組を選択（選局）することが非常に煩雑なものとなっている。そこで、事前に視聴者の希望の局や見たくない局等を登録しておき、視聴者の希望をもとに番組数を絞って画面表示させることにより、簡単なキー操作で選局を容易にする番組自動選択システムが提案されている（例えば、特許文献１参照）。あるいは、視聴者の希望をもとに選択した番組について、番組の内容を示すキーワードとともに一覧表示するテレビジョン受像装置が提案されている（例えば、特許文献２参照）。
【先行技術文献】
【特許文献】
【０００３】
【特許文献１】特開２００５−２１７５８８号公報（段落００１７〜００２３、図１、図２）
【特許文献２】特開２００４−３１２６２７号公報（段落００６１〜００７０、図１、図２）
【発明の概要】
【発明が解決しようとする課題】
【０００４】
しかしながら、上記のようにユーザの嗜好に適した番組を抽出しても、所望の番組を視聴するためにはユーザによる選局動作が依然必要であり、ユーザから選局動作を解放するまでにはいたっていない。とくに、こうした装置が車載用の場合、運転者にとって、運転中に運転以外の動作である選局動作が残ることは、煩わしいものであった。
【０００５】
本発明は、上述のような問題を解消するためになされたもので、ユーザによる選局動作を必要とせず、ユーザに所望の放送番組を提示できる車載用選局装置を得ることを目的とする。
【課題を解決するための手段】
【０００６】
本発明における車載用選局装置は、番組表情報を取得する番組情報取得部と、前記取得した番組表情報から放送番組ごとの番組内容についての情報と放送時間についての情報を抽出し、放送番組ごとの番組内容情報と放送時間情報として出力する番組情報抽出部と、ユーザの放送番組に対する嗜好傾向を嗜好情報として保持する嗜好情報保持部と、前記嗜好情報と前記番組内容情報とにもとづき、放送番組ごとに前記ユーザの嗜好に対する適合性を点数評価した適合性情報として出力する嗜好適合性評価部と、放送中の放送番組のコンテンツを記録しながら時間をずらして再生する時間ずらし再生機能を有し、前記コンテンツを保持するコンテンツ保持部と、前記適合性情報が所定値以上の放送番組が存在しない空白時間には、前記コンテンツ保持部に保持されたコンテンツを選択して出力する出力信号制御部と、現在時刻から所定時間の時間帯に対して、前記選択された空白時間用のコンテンツの再生時間が前記空白時間の長さを超える場合、前記空白時間直後に放送が開始される放送番組のコンテンツの再生時間帯を前記空白時間用のコンテンツの再生終了後にずらすように視聴スケジュールを編集する視聴編成部と、前記放送時間情報と前記適合性情報にもとづき、当該時間帯に放送される番組のなかで最も適合性情報の高い放送番組を自動的に選局する自動選局部と、を備えたものである。
【発明の効果】
【０００７】
本発明によれば、当該時間帯に放送される番組のなかで最も適合性の高い放送番組を自動的に選局するように構成したので、ユーザによる選局動作を必要とせず、ユーザに所望の放送番組を提示できる車載用選局装置を得ることができる。とくに、運転者にとっては、運転と直接関係のない選局動作から解放され、快適に運転をすることができるようになる。
【図面の簡単な説明】
【０００８】
【図１】本発明の実施の形態１にかかる車載用選局装置の構成を示すブロック図である。
【図２】本発明の実施の形態１にかかる車載用選局装置の動作を示すフローチャートである。
【図３】本発明の実施の形態２にかかる車載用選局装置の構成を示すブロック図である。
【図４】本発明の実施の形態２にかかる車載用選局装置の動作を示すフローチャートである。
【図５】本発明の実施の形態３にかかる車載用選局装置の構成を示すブロック図である。
【図６】本発明の実施の形態３にかかる車載用選局装置の動作を説明するための放送番組の視聴スケジュールを示す図である。
【図７】本発明の実施の形態３にかかる車載用選局装置の動作を示すフローチャートである。
【発明を実施するための形態】
【０００９】
実施の形態１．
図１は本実施の形態１にかかる車載用選局装置の構成図である。図において、車載用選局装置１０は、放送信号を受信するアンテナ１１０から出力される放送信号を復調し入力信号を出力するチューナ部１と、チューナ部１からの入力信号を復号処理し、番組情報と映像・音声データに分離して出力するデコード部２と、デコード部２から出力された番組表情報から放送番組ごとの番組内容情報と放送時間情報を抽出する番組情報抽出部３と、ユーザによる選局動作を検出して、ユーザの放送番組に対する嗜好傾向を分析し、嗜好情報として出力する嗜好情報分析部７と、嗜好情報分析部７が分析したユーザの放送番組に対する嗜好傾向を嗜好情報として保持する嗜好情報保持部５と、嗜好情報保持部５が保持している嗜好情報と番組情報抽出部３が抽出した番組内容情報とにもとづき、放送番組ごとにユーザの嗜好に対する適合性を点数評価した適合性情報として出力する嗜好適合性評価部４と、番組情報抽出部３が抽出した放送時間情報と嗜好適合性評価部４が出力する適合性情報にもとづき、当該時間帯に放送される番組のなかで最も適合性情報の高い放送番組を自動的に選局する自動選局部６と、を備えている。さらに車載用選局装置１０は、デコード部２から出力された映像・音声のデータ信号を表示機１２０に出力する映像・音声信号制御部８と、リモコン１３０からのリモコン制御信号を受信するリモコン受信部９とを備えている。以下、詳細を説明する。
【００１０】
チューナ部１は、アンテナ１１０が受信した放送信号を放送方式に準じて復調し、入力信号として出力する装置である。放送番組の信号については、自動選局部６から出力される選局信号またはリモコン１３０の操作によりリモコン受信部９から出力されるリモコン選局信号により指定された放送局からの番組の放送信号を選択的に抽出して復調する。また、選局とは別に、所定時間ごとに送信されてくる複数の放送番組の番組情報（番組名、放送チャンネル、番組内容、ジャンル、放送日、放送開始時間、放送時間等）を有する番組表情報（電子番組表）の放送信号も復調して入力信号として出力する。また、後述するユーザの手動選局を検出すると、手動選局であることを示す信号を嗜好情報分析部７に出力する。
【００１１】
デコード部２は、チューナ部１が出力した入力信号を復号化し、選局したチャンネルの映像データ、および音声データ、さらに所定時間ごとに送信されてくる複数の放送局からの番組情報（以下番組表情報と称する）を分離する。そして、番組表情報を番組情報抽出部３に出力し、映像データと音声データを映像・音声信号制御部８に出力する。つまり、チューナ部１とデコード部２は番組表情報を取得する番組情報取得部として機能する。
【００１２】
番組情報抽出部３は、デコード部２から出力された番組表情報から放送番組ごとの番組内容情報と放送時間情報を抽出して嗜好適合性評価部４に出力する。また、ユーザの手動操作によって選局された番組の番組情報（以下手動選局番組情報と称する）を嗜好情報分析部７に出力する。
【００１３】
嗜好情報分析部７は、ユーザによる手動選局動作を検出し、その動作によって選局された番組の視聴時間が所定時間を越えると、その番組の手動選局番組情報のうち、番組のジャンルや番組内容を示すキーワードを抽出してユーザの嗜好情報として抽出し、嗜好情報保持部５に記録する。例えばユーザがリモコン１３０を用いて、２８ＣＨを選択したとすると、リモコン受信部９から２８ＣＨを選局するためのリモコン選局信号がチューナ部１に出力される。同じＣＨを選択する信号であっても、リモコン選局信号と自動選局部６からの選局信号とを区別するようにしていれば、チューナ部１は、ユーザによる手動選局動作があったことを検出できる。チューナ部１は、手動選局が行われていることを示す信号を嗜好情報分析部７に出力するので、嗜好情報分析部７は、その手動選局番組が所定時間以上視聴されているときは、その番組がユーザの嗜好に一致するものであるとして、その番組の番組内容情報から嗜好情報を抽出し、嗜好情報保持部５に記録する。嗜好情報としては、番組内容情報から番組のジャンル（種類）の情報や番組内容からキーワードを抽出したりして得ることができ、例えば特許文献２に記載されているような公知技術を用いて過去の視聴回数（抽出頻度）によりキーワードやジャンルごとに優先度をつけて嗜好情報とすることができる。
【００１４】
なお、嗜好情報分析部７は、リモコン１３０からの指令や車載用選局装置１０本体に設置したスイッチ等により、上記嗜好情報の分析動作を中止させることができ、その間に行われた操作を嗜好情報に反映させないようにすることができる。さらに、手動選局動作や自動選局時のユーザを識別設定するようにし、ユーザごとに嗜好情報を分析し、ユーザごとに異なる嗜好情報を出力するようにしてもよい。つまり、ユーザによって異なる嗜好情報に基づく自動選局をするようにしてもよい。また、本実施の形態１では、ユーザによる手動選局動作から嗜好情報を分析するようにしたが、予めジャンルやアーティスト名等を選局とは別に入力させ、入力された情報を嗜好情報として出力するようにしてもよい。
【００１５】
嗜好情報保持部５は、嗜好情報分析部７から出力された嗜好情報を保持し、嗜好適合性評価部４の制御により、保持する嗜好情報を嗜好適合性評価部４に出力する装置で、不揮発性のメモリで構成されている。そして、嗜好情報保持部５に保持された情報は嗜好情報分析部７の制御により読出し・書込み制御され、また、嗜好適合性評価部４の制御により読出し制御される。
【００１６】
嗜好適合性評価部４は、嗜好情報保持部５に保持されている嗜好情報と、番組情報抽出部３によって番組表情報から抽出された放送番組ごとの番組内容情報とにもとづき、放送番組ごとにユーザの嗜好に対する適合性を点数評価した適合性情報として出力するものである。適合性情報としては、放送番組ごとの番組内容情報から抽出したジャンルについての情報と嗜好情報に保持されたジャンル情報と一致しているか否か、放送番組ごとの番組内容から抽出したキーワードと嗜好情報に保持されたキーワードとの一致数等をもとに一致数が多ければ高い点数を付与するようにする。また、例えばこの適合性情報は、特開平１０−２５７４０５号公報の式（４）に示される推薦度と同様の方法で付与してもよい。そして、嗜好適合性評価部４は、放送番組ごとに放送時間情報と適合性情報をリンクさせ、自動選局部６に出力する。
【００１７】
自動選局部６は、嗜好適合性評価部４からの、放送番組ごとの放送時間情報と適合性情報にもとづき、当該時間帯に放送される放送番組の中で最も適合性情報の点数が高い放送番組が選択されるように放送番組の選局リストを作成し、作成した選局リストをもとに、当該時間中に放送される番組のなかで最も適合性情報の高い放送番組を選局するように選局指令をチューナ部１に出力する。つまり、チューナ部１と自動選局部６は、放送時間情報と適合性情報にもとづき、当該時間帯に放送される番組のなかで最も適合性情報の高い放送番組を自動的に選局する自動選局部として機能する。なお、自動選局部６は、リモコン１３０からの指令や車載用選局装置１０本体に設置したスイッチ等により、自動選局を行うことを解除させることができる。
【００１８】
映像・音声信号制御部８は、デコード部２から出力された映像・音声のデータ信号を表示機１２０に出力する機能を有している。そして、自動選局部６とチューナ１によって自動的に選局された当該時間帯においてユーザの嗜好に最も適合した放送番組の映像・音声を途切れることなく表示機１２０から表示されるようにデータ出力を制御する。
【００１９】
リモコン受信部９は、リモコン１３０からのリモコン制御信号を受信し、車載用選局装置１０の各種動作を制御するコマンドを車載用選局装置１０内の各部に出力する。本実施の形態１においては選局動作に関する構成としてチューナ部１への出力系統のみを示している。そして、リモコン１３０から選局に関するリモコン制御信号を受信すると、自動選局部６からの選局信号と区別可能なリモコン選局信号を生成しチューナ部１に出力する。
【００２０】
表示機１２０は、映像を表示する表示部及び音声を出力するスピーカ（ともに図示せず）等を備え、車載用選局装置１０の映像・音声信号制御部８から映像及び音声のデータ信号を受信し、前記表示部及び音声から映像と音声を出力する装置である。車載用選局装置１０と一体となって設けられている。
【００２１】
リモコン装置１３０は、図示しないが表面に各種ボタンが設けられており、ユーザによってボタンが押されると、各ボタンに割り当てられたリモコンコマンドをエンコードして、図示しない先端の発光部から赤外線によるＰＰＭ（Pulse Position Modulation）信号として出力する。このＰＰＭ信号をリモコン受信部９が受信してリモコンコマンドにデコードしてチューナ部１に出力することにより、手動選局動作ができる。また、その他の動作も遠隔制御することができる。
【００２２】
つぎに、動作について説明する。
はじめに、選局した放送番組を表示する動作について図１を用いて説明する。
アンテナ１１０が放送信号を受信すると、受信された放送信号は、電気信号として車載用選局装置１０のチューナ部１に入力される。受信された信号にはアンテナ１１０で受信可能な多数のチャンネルの信号を含め、アンテナ１１０の特性として受信可能な周波数帯の信号が含まれているが、チューナ部１は、それら全てをデータ化したのち、その時点で選局されているチャンネルに対応する受信データのみを選択し、デコード部２に出力する。デコード部２は、チューナ部１で選定され、出力された受信データを映像や音声のデータに変換し、映像・音声信号制御部８に出力する。変換後の音声データや映像データは映像・音声信号制御部８で処理され、出力用のデータとして表示機１２０に出力され、表示機１２０からは、映像や音声が出力される。これにより、ユーザは選局されているチャンネルの放送番組を視聴することができる。また、チューナ部１は、アンテナ１１０が番組表情報を含む放送信号を受信した場合は、その時点の選局状態に関係なく、番組表情報に関するデータをデコード部２に出力する。
【００２３】
つづいて、本実施の形態１にかかる車載用選局装置１０の特徴となる選局についての処理動作を図２に示すフローチャートを用いて説明する。なお、本実施の形態１においては、既に行われた手動選局動作を嗜好情報分析部７が分析することにより、嗜好情報が嗜好情報保持部５に保持されているものとして説明する。
【００２４】
アンテナ１１０が番組表情報を含む放送信号を受信すると、チューナ部１は、それら全てをデータ化してデコード部２に出力する。つまり、チューナ部１とデコード部２からなる番組情報取得部が番組表情報を取得する（ステップＳ１０）。取得した番組表情報は番組情報抽出部３に出力され、番組情報抽出部３は、番組表情報から放送番組ごとの番組内容情報と放送時間情報を抽出する。つまり、放送番組ごとの番組情報を抽出する（ステップＳ２０）。嗜好適合性評価部４は、嗜好情報保持部５から嗜好情報を読み出し（ステップＳ３０）、読み出した嗜好情報と番組情報抽出部３から出力された番組内容情報とにもとづき、番組表情報に記載されている複数の放送番組について、放送番組ごとにユーザの嗜好に対する適合性を点数評価する（ステップＳ４０）。そして放送番組ごとに評価した点数を放送番組ごとの適合性情報として出力する。
【００２５】
なお、本実施の形態１において、番組表データ取得ステップＳ１０では、車載用選局装置が起動するたびに、放送信号から受信して番組表データを取得するとしている。しかし、車載用選局装置１０が以前に取得した番組表情報が図示しない記憶部に保持されており、保持された番組表情報が当該動作中の時間帯をカバーするのであれば、保持されているデータを読み出すようにしてもよい。
【００２６】
つぎに、自動選局部６は、嗜好適合性評価部４からの放送番組ごとの放送時間情報と適合性情報にもとづき、現時間帯に放送される放送番組の中で最も適合性情報の点数が高い放送番組を最適番組として決定する（ステップＳ５０）。そして、自動選局部６は、決定した放送番組を選局するようチューナ部１に選局指令を出す。この選局指令にもとづき、チューナ部１は自動的に選局する（ステップＳ６０）。スイッチを切るなど、車載用選局装置１０の動作を停止（ステップＳ７０で「ＹＥＳ」）させない限り、ステップＳ５０に移行（ステップＳ７０で「ＮＯ」）し、その時点で最も適合性情報の点数が高い放送番組を選局していく。
【００２７】
この動作により、車載用選局装置１０からは、同時に放送される放送番組の中で、最もユーザの嗜好に適した放送番組が自動的に選局されて提示される。つまり、車載用選局装置１０は、ユーザが選局操作をしなくとも、ユーザが最も好む番組が自動的に選局されるので、例えば、音楽好きのユーザの嗜好情報が保持されている場合には、あたかも音楽専門チャンネルを視聴しているように動作することになる。
【００２８】
以上のように、本発明の実施の形態１にかかる車載用選局装置１０によれば、番組表情報を取得する番組情報取得部１，２と、取得した番組表情報から放送番組ごとの番組内容についての情報と放送時間についての情報を抽出し、放送番組ごとの番組内容情報と放送時間情報として出力する番組情報抽出部３と、ユーザの放送番組に対する嗜好傾向を嗜好情報として保持する嗜好情報保持部５と、嗜好情報と番組内容情報とにもとづき、放送番組ごとにユーザの嗜好に対する適合性を点数評価した適合性情報として出力する嗜好適合性評価部４と、放送時間情報と適合性情報にもとづき、当該時間帯に放送される番組のなかで最も適合性情報の高い放送番組を自動的に選局する自動選局部６，１と、を備えるようにしたので、ユーザによる選局動作を必要とせず、ユーザに所望の放送番組を提示することができる。とくに、運転者にとっては、運転と直接関係のない選局動作から解放され、運転に集中して快適に運転をすることができるようになる。
【００２９】
また、本発明の実施の形態１にかかる車載用選局装置１０によれば、チューナ部１は、リモコン１３０操作によるユーザの手動選局指令をリモコン受信部９から受けると、手動による選局動作を受け付け、嗜好情報分析部７は、手動選局動作により選局された放送番組が所定時間以上視聴されていることを検出すると、当該放送番組の番組情報を嗜好情報に反映させるように構成したので、ユーザ自身の選局動作から自動的にユーザの嗜好情報を分析することができる。
【００３０】
なお、本実施の形態１によれば、選局中の放送番組の終了をまたずに、当該時間中に最も適合性情報が高い放送番組の放送時間になると、次の放送番組に自動的に選局するようになる。しかし、選局中の放送番組の適合性情報と、選局中の放送番組の放送時間内に放送が始まる次の放送番組の適合性情報との値の差が所定値未満の場合は、選局中の放送番組が終了するのを待って、次の局を選局するようにしてもよい。その場合、適合性情報の差が小さい番組の場合は放送番組が途中で切り替わることがなく、違和感なく視聴することができる。あるいは、ステップＳ７０において、選局中の放送番組の放送時間が終わってからステップＳ５０に移行するようにしてもよい。この場合、自動選局した番組は放送終了まで表示されることになる。
【００３１】
実施の形態２．
図３に本発明の実施の形態２にかかる車載用選局装置の構成図を示す。本実施の形態２における車載用選局装置２０は、実施の形態１における車載用選局装置１０と比較して、コンテンツを記録するコンテンツ保持部２４０を更に備えたものである。コンテンツ保持部２４０は、ハードディスク装置で構成されている。しかし、コンテンツを読み込むことができるのであれば、例えばＣＤ（Compact Disc）、ＤＶＤ（Digital Versatile Disc）、ＭＤ（Mini Disc）等を用いてもよい。また、本実施の形態２においては、コンテンツ保持部２４０は、読み込みだけでなく、書込みも可能なものとした。
【００３２】
このコンテンツ保持部２４０は、自動選局部２６と映像音声信号制御部２８と接続されている。そして、コンテンツ保持部２４０と接続された自動選局部２６は、適合性情報が所定値未満の放送番組は選局しないこととし、映像・音声信号制御部２８は、適合性情報が所定値以上の放送番組が存在しない空白時間には、コンテンツ保持部２４０に保持されたコンテンツを選択して再生するようにした。つまり、映像・音声信号制御部２８は、単にチューナ部１で選局された放送番組の映像・音声信号を表示機１２０に出力するのではなく、チューナ部１から放送番組のデータが出力されない場合には、コンテンツ保持部２４０が保持しているコンテンツの映像・音声信号を表示機１２０に出力する出力信号制御部として機能する。また、出力信号制御部である映像・音声信号制御部２８は、同じ時間帯に適合性情報が所定値以上の放送番組が複数存在した場合、当該時間帯に自動選局部２６で選局された放送番組以外の放送番組であって、適合性情報が所定値より高い放送番組を録画番組として選定し、その際、コンテンツ保持部２４０は、選定された録画番組の記録装置として機能する。
【００３３】
つぎに、図４のフローチャートを用いて動作を説明する。なお、車載用選局装置２０の起動前の嗜好情報保持についての状態、およびステップＳ１０〜ステップＳ４０については、実施の形態１と同様であるので、説明を省略する。
自動選局部２６は、嗜好適合性評価部４からの放送番組ごとの放送時間情報と適合性情報にもとづき、各放送時間帯において、ユーザの嗜好傾向に適した適合性情報が所定値以上の番組があるか否かを判定する（ステップＳ１５０）。
【００３４】
適合性情報の値が所定値以上の放送番組がある場合（ステップＳ１５０で「ＹＥＳ」）は、現在時刻に放送される放送番組の中で最も適合性情報の点数が高い放送番組を最適番組として決定（ステップＳ５０）し、自動選局部２６は決定した放送番組を選局するようチューナ部１に選局指令を出す。この選局指令にもとづき、チューナ部１は最適番組を自動的に選局する（ステップＳ６０）。
【００３５】
つぎに、自動選局部２６は、適合性情報の値が所定値以上の放送番組が複数ある、つまり同じ時間帯にユーザ嗜好に適した放送番組が重なっているか否かを判定する（ステップＳ１５２）。適合性情報の値が所定値以上の放送番組がひとつしかない場合（ステップＳ１５２で「ＮＯ」）、ステップＳ７０に移行する。スイッチを切るなど、車載用選局装置１０の動作を停止（ステップＳ７０で「ＹＥＳ」）させない限り、ステップＳ１５０に移行（ステップＳ７０で「ＮＯ」）し、次に提示する放送番組または再生するコンテンツを順次再選定していく。
【００３６】
一方、適合性情報の値が所定値以上の放送番組が複数ある場合（ステップＳ１５２で「ＹＥＳ」）、現在時刻に放送される放送番組の中で２番目に適合性情報の点数が高い放送番組（第２候補）を録画番組として決定（ステップＳ１５４）し、自動選局部２６は、決定した録画番組を自動選局した放送局と並行して別途選局するようチューナ部１に録画用選局指令を出す。この録画用選局指令にもとづき、チューナ部１は自動選局番組と録画番組を同時に選局し、デコード部２には、自動選局番組と録画番組との２つの番組の放送信号が出力される。デコード部２は、２つの番組の放送信号からデコードした映像と音声の信号をそれぞれ映像・音声信号制御部２８に出力し、映像・音声信号制御部２８は、入力された映像と音声の信号のうち、自動選局番組の映像と音声の信号は表示機１２０に出力し、録画番組の映像と音声の信号はコンテンツ保持部２４０に出力する。これにより、当該時間帯に自動選局部２６で選局された放送番組以外の放送番組であって、適合性情報が所定値より高い放送番組（録画番組）のコンテンツがコンテンツ保持部２４０に記録され（ステップＳ１６０）、ステップＳ７０に移行する。
【００３７】
一方、ステップＳ１５０において、適合性情報が所定値以上の放送番組がない場合（ステップＳ１５０で「ＮＯ」）は、自動選局部２６は選局を行わず、選局を行わない旨の信号（無選局信号）を映像・音声信号制御部２８に出力する。無選局信号を受けた映像・音声信号制御部２８は、コンテンツ保持部２４０に記録されたコンテンツを再生するよう再生指令信号を出力する。コンテンツ保持部２４０は、再生指令信号を受けると記録されたコンテンツの再生信号を映像・音声信号制御部２８に出力し、映像・音声信号制御部２８は、コンテンツ保持部２４０から出力されたコンテンツの再生信号である映像と音声のデータ信号を表示機１２０に出力する。これにより、適合性情報の値が所定値以上の放送番組が存在しない空白時間にはコンテンツ保持部２４０に記録されたコンテンツが再生され（ステップＳ２６０）、ステップＳ７０に移行する。なお、コンテンツ保持部２４０に保持されるコンテンツは、ステップＳ１６０において記録された放送番組のコンテンツの他、市販ソフト等から入手したコンテンツを用いてもよく、その場合、コンテンツ保持部は物理的に別個の記録媒体であってもよい。また、本実施の形態２においては、録画番組をひとつだけ選局する場合について説明したが、チューナ部１、デコード部２、映像・音声信号制御部の回路系統数を増加させて、複数の放送番組を同時に録画できるようにしてもよい。
【００３８】
また、コンテンツ保持部２４０に記録されたコンテンツについては、ステップＳ２６０で再生された場合、図示しないフローにより、コンテンツ保持部２４０から削除するようにしてもよい。とくにステップＳ１６０において記録された放送番組については、もともと自動選局される番組よりも適合性の低い番組であるため、記録したコンテンツの整理のうえでもコンテンツ保持部２４０からの削除は有効である。また、ステップＳ１６０で記録する放送番組の適合性情報の下限値をステップＳ１５０における下限値（所定値）よりも高く設定するようにしてもよい。
【００３９】
なお、ステップＳ２６０で再生するコンテンツは、適合性情報が所定値より高い番組の放送が始まると、そのコンテンツの再生途中でその番組が自動選局されることにより、中断する場合がある。したがって、コンテンツの初めから終わりまで一通り視聴したい場合には、中断した部分から次の空白時間のときに再生するようにしてもよい。とくに、放送番組の録画番組については、中断の可能性のあるステップＳ２６０においては再生の対象とせず、別途手動で再生するように設定してもよい。
【００４０】
以上のように、本発明の実施の形態２にかかる車載用選局装置２０によれば、コンテンツを保持するコンテンツ保持部２４０と、適合性情報が所定値以上の放送番組が存在しない空白時間には、コンテンツ保持部２４０に保持されたコンテンツを選択して出力する出力信号制御部である映像・音声信号制御部２８と、を備え、自動選局部２６は、適合性情報が所定値以上の放送番組のうちから、最も適合性情報の高い放送番組を自動的に選局するように構成したので、ユーザによる選局動作を必要とせず、ユーザの嗜好への合致度が高い放送番組のみを提示することができる。さらに、ユーザ嗜好への合致度が高い放送番組がない、いわゆる空白時間帯においても、ユーザの嗜好のコンテンツを提示することができる。つまり、選局動作をしなくとも、ユーザの好みの番組やコンテンツをすることなく途切れなく提示することができ、とくに運転車にとっては運転に集中することができ、快適に運転ができる。
【００４１】
とくに、出力信号制御部である映像・音声信号制御部２８は、当該時間帯に適合性情報が所定値以上の放送番組が複数存在した場合、当該時間帯に自動選局部２６で選局された放送番組以外の放送番組であって、適合性情報が所定値以上の放送番組（録画番組）のコンテンツをコンテンツ保持部２４０に記録するように構成したので、ユーザ嗜好に適しているにも関わらず、視聴できなかった放送番組についても視聴することが可能となる。
【００４２】
また、出力信号制御部である映像・音声信号制御部２８は、コンテンツ保持部２４０に記録された放送番組のコンテンツが再生されると、当該再生された放送番組のコンテンツをコンテンツ保持部２４０から削除するように構成したので、同じ放送番組を繰り返し再生することがなくなる。
【００４３】
実施の形態３．
図５に本発明の実施の形態３にかかる車載用選局装置の構成図を示す。本実施の形態３における車載用選局装置３０では、コンテンツ保持部３４０がコンテンツ記録再生装置３４２と音声再生装置３４３と時間ずらし再生可能なコンテンツ記録再生部３４１という複数の記録装置から構成されている。とくに、実施の形態２における車載用選局装置２０と比較して、放送番組や各種コンテンツの視聴スケジュールを編集する視聴編成部３５２と、視聴編成部が編成した視聴スケジュールに従って選局した放送番組または複数の記録装置に保持されたコンテンツのデータ信号を出力するようコンテンツ保持部３４０、自動選局部３６、および出力信号制御部である映像・音声信号制御部３８を制御する視聴制御部３５１とを有する視聴調整部３５０を備えている。
【００４４】
コンテンツ記録再生装置３４２は、映像と音声からなるコンテンツを再生する装置であり、視聴調整部３５０の視聴制御部３５１の制御により、映像・音声信号制御部３８へ保持しているコンテンツの映像と音声信号を出力するとともに、視聴編成部３５２の制御により、保持しているコンテンツの情報（コンテンツ名、コンテンツ内容、再生時間等）を視聴編成部３５２へ出力する。
【００４５】
音声再生装置３４３は、音声からなるコンテンツを再生する装置であり、視聴調整部３５０の視聴制御部３５１の制御により、映像・音声信号制御部３８へ保持しているコンテンツの音声信号を出力するとともに、保持しているコンテンツの情報（コンテンツ名、コンテンツ内容、再生時間等）を視聴編成部３５２へ出力する。
【００４６】
コンテンツ記録再生部３４１は、実施の形態２におけるコンテンツ保持部２４０と同様にコンテンツの記録や再生を行うことができる装置であり、とくに、放送番組を記録しながら時間をずらして再生する時間ずらし再生機能を有している。そして、視聴調整部３５０の視聴制御部３５１の制御により、映像・音声信号制御部３８から出力される放送番組のコンテンツの映像や音声信号の記録や、保持している放送番組のコンテンツの映像・音声信号制御部３８への映像や音声信号の出力を行うとともに、保持している放送番組のコンテンツの番組内容情報と放送時間情報を視聴編成部３５２へ出力する。
【００４７】
視聴編成部３５２は、現在時刻から所定時間（例えば１２時間）の時間帯に対して適合性情報が所定値以上の放送番組およびコンテンツ保持部３４０内に保持されたコンテンツを用いて視聴スケジュールを編成する。とくに、適合性情報が所定値以上の放送番組がない空白時間が生じたときに、空白時間を埋めるために選択されたコンテンツ（空白時間用コンテンツ）の再生時間が空白時間の長さを越える場合、空白時間直後に放送が開始される放送番組のコンテンツの視聴時間帯を空白時間用コンテンツの後にずらし、選択したコンテンツが最初から最後まで再生されるように視聴スケジュールを再編集する機能を有している。
【００４８】
視聴制御部３５１は、ユーザの嗜好に適したコンテンツを、視聴スケジュールをもとに自動選局部３６やコンテンツ保持部３４０の各記録装置３４１〜３４３、および映像・音声信号制御部３８の動作を制御する。とくに、空白時間直後に放送が開始される放送番組のコンテンツは、コンテンツ記録再生部３４１の時間ずらし再生機能を用いて、空白時間用のコンテンツの再生が終了した後に、当該放送番組の最初から提示できるようにする。つまり、視聴スケジュールにもとづき、ユーザの嗜好に適したユーザの嗜好に適したコンテンツの提示が途切れることのないようにコンテンツ保持部２４０、自動選局部３６、および出力信号制御部３８を制御する。
【００４９】
つぎに、動作について説明する。
図６は、適合性情報が所定値以上の番組が存在しない空白時間が生じたときの視聴スケジュールの編集方法を示す図であり、図において、「ＣＨ１３  番組Ａ」（以下番組Ａと称する）と「ＣＨ１６  番組Ｂ」（以下番組Ｂと称する）とが適合性情報が所定値以上の放送番組であり、「録画コンテンツ」が番組Ａと番組Ｂの間に生じた空白時間を埋めるために選択されたコンテンツ再生装置３４２に保持されたコンテンツ（以下空白時間用コンテンツと称する）である。
【００５０】
図７のフローチャートを用いて動作を説明する。なお、車載用選局装置３０の起動前における放送番組の嗜好情報保持についての状態、およびステップＳ１０〜ステップＳ４０については、実施の形態１や２と同様であるので、説明を省略する。
視聴編成部３５２は、嗜好適合性評価部４からの放送番組ごとの放送時間情報と適合性情報にもとづき、現在時刻から１２時間までの放送時間帯において、ユーザの嗜好傾向に適した適合性情報が所定値以上の番組を抽出して視聴スケジュールを編成する（ステップＳ３５０）。そして、作成した視聴スケジュールの中にユーザの嗜好傾向に適した適合性情報が所定値以上の番組が存在しない空白時間が存在するか否かを判定する（ステップＳ３５２）。
【００５１】
ここで、空白時間が存在しない（ステップＳ３５２で「ＮＯ」）場合、ステップＳ３６０に移行し、視聴編成部３５２から視聴スケジュールを受け取った視聴制御部３５１は、自動選局部３６および映像・音声信号制御部３８を制御して、視聴スケジュールに沿って選局した放送番組を順次提示していく（ステップＳ３６０、ステップＳ７０）。
【００５２】
一方、図６（ａ）に示すように、番組Ａの終了時刻と番組Ｂの開示時刻との間（１９：３０〜２０：００）に空白時間が存在する（ステップＳ３５２で「ＹＥＳ」）場合、視聴編成部３５２は、コンテンツ保持部３４０の各記録装置３４１〜３４２に保持しているコンテンツの情報（コンテンツ名、コンテンツ内容、再生時間等）を出力させ、コンテンツ保持部３４０に保持されているコンテンツの情報を取得する（ステップＳ４１０）。そして、番組Ａと番組Ｂとの空白時間の３０分を埋めることができる（合計再生時間が空白時間以上）ユーザの嗜好に適したコンテンツを検索する（ステップＳ４２０）。
【００５３】
ここで、検索した空白時間用コンテンツの再生時間が図６（ｂ）に示すように空白時間と同じである場合（ステップＳ４３０で「ＹＥＳ」）、視聴編成部３５１は、空白時間内のスケジュールのみを検索した空白時間用コンテンツで編成（ステップＳ４４０）する。このとき、空白用コンテンツはひとつである必要はなく、複数のコンテンツで３０分以上となればよく、また、異なる記録部３４１〜３４２に保持されているものを選定してもよい。視聴編成部３５２は、編成した視聴スケジュールを視聴制御部３５１に出力する。
【００５４】
視聴制御部３５１は、視聴スケジュールにもとづいて、１９：００〜１９：３０分の間は番組Ａを選局するよう自動選局部３６を制御し、映像・音声信号制御部３８にデコード部２から出力された番組Ａの映像と音声のデータを表示機１２０に出力するよう制御する。そして、１９：３０〜２０：００分の間は選択した空白用コンテンツの再生信号を出力するようにコンテンツ保持部３４０を制御し、映像・音声信号制御部３８にコンテンツ保持部３４０（３４２）から出力された空白用コンテンツの映像と音声のデータを表示機１２０に出力するよう制御する。そして、２０：００になると番組Ｂを選局するよう自動選局部３６を制御し、デコード部２から出力された番組Ｂの映像と音声のデータを表示機１２０に出力するよう映像・音声信号制御部３８を制御（ステップＳ３６０）する。そして、途中で停止指令がない限り、スケジュール通りに制御（ステップＳ７０）していく。つまり、番組Ａ、空白時間用コンテンツ、番組Ｂが途中で中断することなく途切れずにユーザに提示される。
【００５５】
一方、検索した空白時間用コンテンツの再生時間が図６（ｃ）に示すように空白時間よりも長い場合（ステップＳ４３０で「ＮＯ」）、視聴編成部３５１は、時間ずらし再生を採り入れて視聴スケジュールを再編成（ステップＳ４５０）する。例えば、図６（ｃ）における空白時間用コンテンツの合計再生時間が４０分であったとき、視聴編成部３５２は、１９：００〜１９：３０は番組Ａを選択、１９：３０〜２０：１０は空白用コンテンツを選択、そして、２０：１０から番組Ｂの時間ずらし再生を選択する。例えば、番組Ｂの放送時間が２０：００〜２０：３０分であったとすると、番組Ｂを受信しながらその再生を２０：１０から２０：４０の間に１０分シフトするようにずらす。そして、以降の時間帯についても１０分のシフトを反映させて再スケジューリングしていく。そして再スケジューリングした視聴スケジュールを視聴制御部３５１に出力する。
【００５６】
視聴制御部３５１は、視聴スケジュールにもとづいて、１９：００〜１９：３０分の間は番組Ａを選局するよう自動選局部３６を制御し、映像・音声信号制御部３８にデコード部２から出力された番組Ａの映像と音声のデータを表示機１２０に出力するよう制御する。そして、１９：３０〜２０：１０分の間は選択した空白用コンテンツの再生信号を出力するようにコンテンツ保持部３４０を制御し、コンテンツ保持部３４０から出力された空白用コンテンツの映像と音声のデータを表示機１２０に出力するよう映像・音声信号制御部３８を制御する。また２０：００になると番組Ｂを選局するよう自動選局部３６を制御し、デコード部２から出力された番組Ｂの映像と音声のデータをコンテンツ記録再生部３４１に出力するよう映像・音声信号制御部３８を制御する。そして、２０：１０になると、番組Ｂの選局と、デコード部２から出力された番組Ｂの映像と音声のデータのコンテンツ記録再生部３４１への出力を行いながら、２０：００から記録を開始した番組Ｂを番組の最初から再生するようコンテンツ記録再生部３４１を制御し、再生した番組Ｂの映像と音声を表示機１２０に出力するように映像・音声信号制御部３８を制御（ステップＳ３６０）する。以降、途中で停止指令がない限り、スケジュール通りに制御（ステップＳ７０）していく。つまり、空白時間と長さがぴったりのコンテンツを保持していなくても、番組Ａ、空白時間用コンテンツ、番組Ｂが途中で中断することなく途切れずにユーザに提示される。
【００５７】
これにより、ユーザから選局動作を解放しているにもかかわらず、ユーザの嗜好に適した放送番組またはコンテンツを中断することなく、途切れずに順次提示することができる。
【００５８】
以上のように、本発明の実施の形態３にかかる車載用選局装置３０によれば、コンテンツ保持部３４０は、放送中の放送番組のコンテンツを記録しながら時間をずらして再生する時間ずらし再生機能を有し、選択された空白時間用のコンテンツの再生時間が空白時間の長さを越える場合、空白時間直後に放送が開始される放送番組のコンテンツの再生時間帯を前記空白時間用のコンテンツの再生終了後にずらすように視聴スケジュールを編集する視聴編成部３５２と、視聴スケジュールにもとづき、ユーザの嗜好に適したコンテンツの提示が途切れることのないようにコンテンツ保持部３４０、自動選局部３６、および出力信号制御部３８を制御する視聴制御部３５１と、を備えるように構成したので、ユーザによる選局動作を必要とせず、ユーザの嗜好への合致度が高い放送番組を中断したりすることなく、途切れずに順次提示することができる。つまり、選局動作を必要とせず、ユーザの好みの放送番組やコンテンツを中断することなく途切れずに順次提示することができる専用チャンネルのように動作させることができ、とくに運転者にとっては運転に集中することができ、快適に運転ができる。
【００５９】
なお、本実施の形態３においても、実施の形態２のように、同じ時間帯に嗜好適合性の高い番組が重なった場合、一方の放送番組をコンテンツ記録再生部３４１に記録させ、記録した放送番組の放送が終わった後に再生するようにしてもよいのはいうまでもない。
【００６０】
なお、上記各実施の形態１〜３にかかる車載用選局装置においては、自動選局のＯＮ／ＯＦＦ設定を設けることで、ＯＮ設定の場合にはユーザ嗜好に適した放送番組の自動選局を実行するが、ＯＦＦ設定の場合には自動選局を行わないとしてもよい。
【符号の説明】
【００６１】
１  チューナ部（番組情報取得部、自動選局部）、２  デコード部（番組情報取得部）、３  番組情報抽出部、４  嗜好適合性評価部、５  嗜好情報保持部、６，２６，３６  自動選局部（自動選局部）、７  嗜好情報分析部、８，２８，３８  映像・音声信号制御部（出力信号制御部）、９  リモコン受信部、１０，２０，３０  車載用選局装置、１１０  アンテナ地図データファイル、１２０  表示機、１３０  リモコン、２４０、３４０  コンテンツ保持部、３４１  コンテンツ記録再生部、３４２  コンテンツ再生装置、３４３  音声再生装置、３５１  視聴制御部（視聴調整部）、３５２  視聴編成部（視聴調整部）。
【手続補正２】
【補正対象書類名】特許請求の範囲
【補正対象項目名】全文
【補正方法】変更
【補正の内容】
【特許請求の範囲】
【請求項１】
番組表情報を取得する番組情報取得部と、
前記取得した番組情報から放送番組ごとの番組内容についての情報と放送時間についての情報を抽出し、放送番組ごとの番組内容情報と放送時間情報として出力する番組情報抽出部と、
ユーザの放送番組に対する嗜好傾向を嗜好情報として保持する嗜好情報保持部と、
前記嗜好情報と前記番組内容情報とにもとづき、放送番組ごとに前記ユーザの嗜好に対する適合性を点数評価した適合性情報として出力する嗜好適合性評価部と、
放送中の放送番組のコンテンツを記録しながら時間をずらして再生する時間ずらし再生機能を有し、前記コンテンツを保持するコンテンツ保持部と、
前記適合性情報が所定値以上の放送番組が存在しない空白時間には、前記コンテンツ保持部に保持されたコンテンツを選択して出力する出力信号制御部と、
現在時刻から所定時間の時間帯に対して、前記選択された空白時間用のコンテンツの再生時間が前記空白時間の長さを超える場合、前記空白時間直後に放送が開始される放送番組のコンテンツの再生時間帯を前記空白時間用のコンテンツの再生終了後にずらすように視聴スケジュールを編集する視聴編成部と、
前記放送時間情報と前記適合性情報に基づき、当該時間帯に放送される番組の中で最も適合性情報の高い放送番組を自動的に選局する自動選局部と、
を備えてなる車載用選局装置。
【請求項２】
前記自動選局部は、前記適合性情報が前記所定値以上の放送番組のうちから、最も適合性情報の高い放送番組を自動的に選局することを特徴とする請求項１に記載の車載用選局装置。
【請求項３】
前記出力信号制御部は、当該時間帯に前記適合性情報が所定値以上の放送番組が複数存在した場合、当該時間帯に前記自動選局部で選局された放送番組以外の放送番組であって、前記適合性情報が前記所定値以上の放送番組を録画番組として選定し、選定した録画番組のコンテンツを前記コンテンツ保持部に記録することを特徴とする請求項１に記載の車載用選局装置。
【請求項４】
前記視聴スケジュールにもとづき、前記コンテンツ保持部、前記自動選局部、および前記出力信号制御部を制御する視聴制御部を備えたことを特徴とする請求項１に記載の車載用選局装置。
【請求項５】
前記出力信号制御部は、前記コンテンツ保持部に記録された放送番組のコンテンツが再生されると、当該再生された放送番組のコンテンツを前記コンテンツ保持部から削除することを特徴とする請求項１ないし４のいずれかに記載の車載用選局装置。
【請求項６】
手動選局動作により選局された放送番組が所定時間以上視聴されていることを検出すると、当該放送番組の番組情報を前記嗜好情報に反映させる嗜好情報分析部を有することを特徴とする請求項１ないし５のいずれかに記載の車載用選局装置。
【国際調査報告】
2009128121.tif 000010
2009128121.tif 000011
2009128121.tif 000012
2009128121.tif 000013